【手続補正書】
【提出日】平成19年4月11日(2007.4.11)
【手続補正１】
【補正対象書類名】明細書
【補正対象項目名】特許請求の範囲
【補正方法】変更
【補正の内容】
【特許請求の範囲】
【請求項１】  金属、金属イオン、金属塩、環境汚染物質および皮脂を髪から除去するのに適した水性組成物であって、
（ａ）有効量のアニオン性分散剤、および
（ｂ）残部である水を含有しており、
前記水性組成物が２から６の間のｐＨである、水性組成物。
【請求項２】  （ｃ）有効量の還元剤、および
（ｄ）有効量のキレート剤をさらに含有する、請求項１記載の組成物。
【請求項３】  （ｅ）有効量の限界スケール阻止剤、および
（ｆ）有効量のゲル化剤をさらに含有する、請求項２記載の組成物。
【請求項４】  （ｇ）アニオン性界面活性剤および両性界面活性剤からなる群より選ばれた有効量の界面活性剤成分をさらに含有する、請求項２記載の組成物。
【請求項５】  前記組成物が脱金属用組成物であり、（ａ）の前記アニオン性分散剤の有効量が０．１から１０重量％であり；（ｃ）の前記還元剤の有効量が０．０５〜５重量％であり；（ｄ）の前記キレート剤の有効量が０．０５〜５重量％であり；（ｅ）の前記限界スケール阻止剤の有効量が０．０５から５重量％であり；（ｆ）の前記ゲル化剤の有効量が０．０５〜５重量％である、請求項３記載の組成物。
【請求項６】  前記組成物が洗浄用シャンプーであり、（ａ）の前記アニオン性分散剤の有効量が０．１から１０重量％であり；（ｃ）の前記還元剤の有効量が０．０５〜５重量％であり；（ｄ）の前記キレート剤の有効量が０．０５〜５重量％であり；（ｇ）の前記界面活性剤成分の有効量が１〜２５重量％である、請求項３記載の組成物。
【請求項７】  （ａ）の前記アニオン性分散剤が、アクリル酸、メタクリル酸、２−アクリルアミド−２−プロパンスルホン酸（ＡＭＰＳＡ）、２−メタクリルアミド−２−プロパンスルホン酸、イタコン酸、クロトン酸、フマル酸、無水マレイン酸、イソクロトン酸、アコニット酸（シスまたはトランス）、メサコン酸、シナピン酸、ウンデシレン酸、アンゲリカ酸、カネル酸、ヒドロキシアクリル酸、スルホン化スチレン、スルホン酸ビニル、３−アリロキシ−２−ヒドロキシプロピルスルホン酸、ビニルホスホン酸およびスルフェノキシメタリルエーテル（これらは遊離の酸または部分的に中和された塩のいずれかとして存在する）、アクロレイン、アクリルアミド、アクリロニトリル、アクリル酸のエステル類およびメタクリル酸のエステル類、ジメチルアミノエチル  メタクリレート、ビニルピロリドン、ビニルカプロラクタム、エチレン、プロピレン、イソブチレン、ジイソブチレン、酢酸ビニル、スチレン、α−メチルスチレン、メチルビニルケトンおよびヒドロキシプロピルアクリレートからなる群より選ばれた少なくとも一種のモノマーから製造された重合体である、請求項１記載の組成物。
【請求項８】  （ａ）の前記アニオン性分散剤が、カルボキシメチルイヌリン、ジカルボキシイヌリン、カルボキシメチルセルロース、硫酸塩化されたリグニン、カルボキシル化されたリグニン、酸化リグニン、ポリアスパラギン酸およびこれらの塩類からなる群より選択されている、請求項１記載の組成物。
【請求項９】  （ａ）の前記アニオン性分散剤がヘキサメタ燐酸ナトリウムである、請求項１記載の組成物。
【請求項１０】  （ｃ）の還元剤が、亜硫酸塩類、チオ亜硫酸塩類、過硫酸塩類、過ヨウ素酸塩類、次亜燐酸および次亜燐酸塩類からなる無機還元剤からなる群より選択されている、請求項２記載の組成物。
【請求項１１】  （ｄ）の前記キレート剤が、ジカルボキシイヌリンおよびエチレンジアミンテトラ酢酸（ＥＤＴＡ）からなる群より選択されている、請求項２記載の組成物。
【請求項１２】  （ｅ）の前記限界スケール阻止剤が、２−ホスホノ−１，２，４−トリカルボキシブタン、アミノトリ（メチレンホスホン酸）、およびヒドロキシエチリデンジホスホン酸からなる群より選択されている、請求項３記載の組成物。
【請求項１３】  （ｆ）の前記ゲル化剤が、キサンタンガム、カラギーナン、セルロース、セルロースガム、メチルセルロース、カルボマー、カルボキシメチルセルロース、ヒドロキシエチルセルロース、グアー、ヒドロキシエチルエチルセルロース、ヒドロキシプロピルセルロース、キトサン、ヒドロキシプロピルキトサン、ヒドロキシプロピルスターチ、スターチ、ヒドロキシプロピルグアー、シクロデキストリン、ヒドロキシプロピルシクロデキストリン、ヒドロキシプロピルメチルセルロース、ゼラチン、ヒドロキシプロピルゼラチン、タンパク質、ヒドロキシプロピルタンパク質、ポリアクリルアミド、ポリ（アクリル酸）、ナトリウム  ポリアクリレート、ポリ（アクリルアミドメチルプロパン  スルホン酸）、ポリ（アクリルアミドメチルプロパンスルホン酸）ナトリウム塩およびアクリルアミド共重合体からなる群より選択されている、請求項３記載の組成物。
【請求項１４】  （ｇ）の前記界面活性剤成分が、ラウリル硫酸アンモニウム、ラウレス硫酸アンモニウム、ラウリル硫酸トリエチルアミン、ラウレス硫酸トリエチルアミン、ラウリル硫酸トリエタノールアミン、ラウレス硫酸トリエタノールアミン、ラウリル硫酸モノエタノールアミン、ラウレス硫酸モノエタノールアミン、ラウリル硫酸ジエタノールアミン、ラウレス硫酸ジエタノールアミン、硫酸ナトリウムラウリルモノグリセリド、ラウリル硫酸ナトリウム、ラウレス硫酸ナトリウム、ラウリル硫酸カリウム、ラウレス硫酸カリウム、ラウリルサルコシン酸ナトリウム、ラウロイルサルコシン酸ナトリウム、ラウリルサルコシン、ココイルサルコシン、ココイル硫酸アンモニウム、ラウロイル硫酸アンモニウム、ココイル硫酸ナトリウム、ラウロイル硫酸ナトリウム、ココイル硫酸カリウム、ラウリル硫酸カリウム、トリエタノールアミン  １ラウリルサルフェート、ラウリル硫酸トリエタノールアミン、ココイル硫酸モノエタノールアミン、ラウリル硫酸モノエタノールアミン、トリデシルベンゼンスルホン酸ナトリウム、およびドデシルベンゼンスルホン酸ナトリウムの一種以上からなる群より選択されたアニオン性界面活性剤である、請求項４記載の組成物。
【請求項１５】  前記組成物の０．１〜１０％が、ココジメチルカルボキシメチルベタイン、ココアミドプロピルベタイン、ココベタイン、ラウリルアミドプロピルベタイン、オレイルベタイン、ラウリルジメチルカルボキシメチルベタイン、ラウリルジメチルアルファカルボキシエチルベタイン、セチルジメチルカルボキシメチルベタイン、ラウリル  ビス−（２−ヒドロキシエチル）カルボキシメチルベタイン、ステアリル  ビス−（２−ヒドロキシプロピル）カルボキシメチルベタイン、オレイルジメチル  ガンマ−カルボキシプロピルベタイン、ラウリル  ビス−（２−ヒドロキシプロピル）アルファ−カルボキシエチルベタイン、ココジメチルスルホプロピルベタイン、ステアリルジメチルスルホプロピルベタイン、ラウリルジメチルスルホエチルベタイン、ラウリル  ビス−（２−ヒドロキシエチル）スルホプロピルベタイン、３−ドデシル−アミノプロピオン酸ナトリウム、３−ドデシルアミノプロパンスルホン酸ナトリウムおよびラウリルサルコシン酸ナトリウムの一種以上からなる群より選ばれた両性またはベタイン界面活性剤から選ばれた第二の界面活性剤からなる、請求項１４記載の組成物。
【請求項１６】  髪を脱塩する方法であって、髪を所定時間にわたって
（ａ）０．１〜１０重量％のアニオン性分散剤、
（ｂ）水、
（ｃ）０．０５〜５重量％の還元剤、
（ｄ）０．０５〜５重量％のキレート剤、
（ｅ）０．０５〜５重量％の限界スケール阻止剤、および
（ｆ）０．０５〜５重量％のゲル化剤
を含有する水性脱塩組成物と接触させ、次いでこの髪を水洗し、ここで前記水性組成物が２から６の間のｐＨである、髪を脱塩する方法。
【請求項１７】  前記脱金属組成物が、（ａ）０．１〜５重量％の前記アニオン性分散剤、（ｃ）０．１〜２重量％の前記還元剤、（ｄ）０．１〜２重量％の前記キレート剤、（ｅ）０．１〜２重量％の前記限界スケール阻止剤、および０．１〜２重量％の前記ゲル化剤を含有しており、残部が（ｂ）水である、請求項１６記載の方法。
【請求項１８】  前記脱金属組成物が、（ａ）１〜３重量％の前記アニオン性分散剤、（ｃ）０．５〜１．５重量％の前記還元剤、（ｄ）０．５〜１．５重量％の前記キレート剤、（ｅ）０．５〜１．５重量％の前記限界スケール阻止剤、および０．５〜１．５重量％の前記ゲル化剤を含有しており、残部が（ｂ）水である、請求項１７記載の方法。
【請求項１９】  髪を洗浄する方法であって、髪を所定時間にわたって、請求項１６に記載の水性の洗浄用シャンプー組成物と接触させ、次いでこの髪を水洗し、ここで前記水性組成物が２から６の間のｐＨである、髪を洗浄する方法。
【請求項２０】  前記洗浄用シャンプー組成物が、（ａ）１〜３重量％の前記アニオン性分散剤、（ｃ）０．５〜１．５重量％の前記還元剤、（ｄ）０．５〜１．５重量％の前記キレート剤、（ｇ）６〜１５重量％の前記界面活性剤成分を含有しており、残部が（ｂ）水である、請求項１９記載の方法。